(57)【要約】【課題】  記録装置の記録媒体であるハードディスクユニットを記録装置が電源ＯＮ状態で脱着可能にすること。【解決手段】記録装置本体とハードディスクユニットのインターフェースの間に双方向性バッファを設け、ハードディスクユニット脱着時のハードディスクユニットからのＣＳＥＬ信号の変化を利用して双方向性バッファーのスイッチを操作し、記録装置とハードディスクユニットとの間の信号を遮断することによって、ハードディスクユニット脱着時にハードディスクユニットの回路に生じる逆耐圧の発生を最小限に抑える。【選択図】    図１
2005203047.tif 000002
【特許請求の範囲】
【請求項１】
記録媒体としてハードディスクユニットを備える記録機器において、
前記ハードディスクユニットを接続するためのＡＴＡインターフェースと、
双方向性バッファーとを備え、
前記ＡＴＡインターフェースと前記ハードディスクユニットとの間に前記双方向性バッファーを接続するとともに前記ハードディスクユニット側のＣＳＥＬ信号線を前記双方向性バッファーの制御端子に接続して、前記ＣＳＥＬ信号の変化にもとづいて前記双方性バッファーを制御することにより前記ハードディスクユニットの脱着時にハードディスクユニット側に生じる逆耐圧の発生を防止することを特徴とする記録機器。
【請求項２】
前記ハードディスクユニット脱着時の前記ＣＳＥＬ信号が変化することにより前記双方向性バッファーのインピーダンスが高くなることを特徴とする請求項１記載の記録機器。
【発明の詳細な説明】
【技術分野】
【０００１】
本発明は、記録機器に接続されるハードディスクユニットにおいて、電源通電時中のハードディスクユニット脱着に生じる逆耐圧の発生を防止する技術に関する。
【背景技術】
【０００２】
不正行為や犯罪防止等のために特定の場所を監視カメラにて監視し、その映像を通常のＶＴＲや長時間録画が可能なタイムラプスＶＴＲの磁気テープに記録して保存する方法がとられていた。また、磁気テープに記録された映像はのちに犯罪等の特定ができるように数ヶ月保存される場合がある。このとき、記録中の磁気テープの映像がいっぱいになれば、いつでも磁気テープを取り出して新しい磁気テープに容易に交換することが可能である。
【０００３】
しかし、近年特定映像の検索、操作の容易性により映像をデジタルデータとしてハードディスクに保存する記録機器が主流を占めるようになってきている。このようなハードディスクを記録媒体として使用する機器でも同様に、監視カメラからの映像を長期間保存する必要があり、使用中にハードディスクの映像がいっぱいになってしまうことが起こりえる。この場合、ハードディスクを新たに交換する必要があるが、ＶＴＲのように記録媒体であるハードディスクを記録機器の通電中に取り替えることができず、いったん記録機器の電源をＯＦＦしてから取り替える必要があり、ユーザにとってわずらわしいものとなっている。また、下記記載の先行の特許文献では、ホットスワップを実現するためにデバイス検出手段を設け、デバイスごとにインターフェースを切り替えるという複雑な構成を必要とする。
【特許文献１】特開２００１−２８２７０３号公報〔Ｅ０４Ｈ  ７／１８〕
【発明の開示】
【発明が解決しようとする課題】
【０００４】
現状、通電時に３．５インチ型のハードディスクユニットの脱着を行うとハードディスクユニット側の回路が逆耐圧によってダメージを受け、場合によっては破壊されてしまう現象が起こる。すなわち、記録機器本体からハードディスクユニットに電源が供給されるが、ハードディスクユニット側でそのハードディスクユニットの電源をＯＮ／ＯＦＦするスイッチが設けられている。このハードディスクユニットの電源スイッチをＯＦＦした状態で記録機器からコントロール信号が供給されると、ハードディスクユニットの内部回路が破壊されるという状況が発生する。そのため、記録機器の電源がＯＮでハードディスクユニットの電源がＯＦＦの時は、記録機器からハードディスユニットに信号が供給されていない状態でないと、ハードディスクユニットを交換できず、現状一般ユーザにおいては記録機器電源通電時にハードディスクユニットの脱着はできない。
【課題を解決するための手段】
【０００５】
本発明は、記録機器通電中にハードディスクユニットの交換を可能とすべく、記録媒体としてハードディスクユニットを備える記録機器において、前記ハードディスクユニットを接続するためのＡＴＡインターフェースと、双方向性バッファーとを備え、前記ＡＴＡインターフェースと前記ハードディスクユニットとの間に前記双方向性バッファーを接続するとともに前記ハードディスクユニット側のＣＳＥＬ信号線を前記双方向性バッファーの制御端子に接続して、前記ＣＳＥＬ信号の変化にもとづいて前記双方性バッファーを制御することにより前記ハードディスクユニットの脱着時のハードディスクユニット側に生じる逆耐圧の発生を防止する。
【発明の効果】
【０００６】
本発明によれば、ＣＳＥＬ信号をホスト側の入力として利用することによりホスト側がＯＮ状態においてハードディスクユニット側の電源が切られても、ハードディスクユニット側回路への電気の流れを一瞬にして切ることが可能となり一般的に言われるホットスワップを実現することが可能となる。
【発明を実施するための最良の形態】
【０００７】
本発明の一実施例について、図１、図２を用いて以下に説明する。図１は、本発明の記録装置の全体の概略構成を示したものである。図１に示すように、１はハードディスクユニットを含めた記録機器全体を示したもので、２はハードディスクユニット部分を除いた記録機器本体部分を示したもので、記録機器本体部分からハードディスクユニットを脱着することができるように構成されている。３は図示しない監視カメラからのビデオ信号をＡ／Ｄ変換するデコーダ回路であり、５は映像信号に所定の処理を施すＡＳＩＣ４内に設けられたメモリで、デコーダ回路３にてデジタル信号に変換された映像信号を一時記憶するものである。６はモーションＪＰＥＧ（ＭＪＰＥＧ）コーディックであって、メモリ5に記憶された映像信号をＭＪＰＥＧ信号に圧縮変換する。圧縮変換されたＭＪＰＥＧ信号は双方向性バッファー7を通じてハードディスクユニット８に供給されて記憶される。
【０００８】
また、再生時には記録とは逆の処理が施され、ハードディスクユニット８に記憶されたＭＪＰＥＧ信号が双方向性バッファー７の通じてメモリ5に記憶され、ＭＰＥＧコーディック6で伸張され、図示しないビデオエンコーダブロックにてＤ／Ａ変換されＹ系とＣ系に分離してビデオ信号としてモニターへ出力される。なお、各ブロックとの信号のやり取りは信号バス9を通じて行われる。
【０００９】
次に、ハードディスクユニットのケーブルセレクト信号であるＣＳＥＬ信号について説明する。ＡＴＡにはホストコントローラ一つに対して二つのデバイスを接続することができます。同一のケーブルに二つのデバイスを接続する都合上、デバイス番号を与えなければホストコントローラ側でそれぞれのデバイスをコントロールすることがでない。そこで、デバイス（一方をマスタ、他の一方をスレーブ）を区別するためにマスタとスレーブ間のケーブルでは、ケーブルとコネクタの間でＣＳＥＬ信号をカットしたケーブルを使用します。そして、ホスト側はＣＳＥＬ信号を常にＧＮＤに接続しておき、デバイス側ではＣＳＥＬ信号をプルアップしておく。よってホスト側では信号がつながっているとＧＮＤに、つながっていなければＶｃｃになり、これを利用して自分がマスタなのかスレーブなのかデバイス番号を識別できる。
【００１０】
３．５インチＡＴＡのハードディスクユニットでは、同様にＣＳＥＬ信号が存在する。そこで、まずハードディスクユニット側にて内部的にＣＳＥＬ信号がプルアップされており、ハードディスクユニット側はＣＳＥＬ信号を確認して自身がマスター側かスレーブ側かを判断する。すなわち、ケーブルセレクト信号はＡＴＡのケーブル上において、マスター側はホスト側に接続され、スレーブ側は接続されていない。ホスト側は、ケーブルセレクト信号をＧＮＤに落とすことにより、ハードディスクユニット側は、自身のＣＳＥＬ信号は、ＬＯであればマスター側と判断し、ＨＩであれば、スレーブ側と判断する。
【００１１】
本発明においては記録機器に接続されるハードディスクユニットにおいて、電源通電時中のハードディスクユニット脱着に生じる逆耐圧の発生を防止するために、まずこのＣＳＥＬ信号をハードディスクユニット側の入力信号として使用しないマスター及びスレーブのピン設定とし、次にＣＳＥＬ信号をハードディスクユニット側の電源の入っているかどうかの判定基準としてホスト側（記録機器本体部分）がその基準を利用しで瞬時にハードディスクユニット脱着に生じる逆耐圧の発生を遮断するようにする。
【００１２】
図２は、双方向性バッファーの詳細を示したもので、記録機器本体部分2とハードディスクユニット8とを接続する部分の回路つまり逆耐圧の発生を遮断する回路を示したもので、この回路によってハードディスクユニット8のホットスワップを実現するものである。双方向性バッファー７には記録機器本体部分2のＡＳＩＣからのハードディスクユニットをコントロールするコントロール信号を入力する入力端子10とハードディスクユニットへこのコントロール信号8を供給する出力端子11と双方向性バッファー本体部分12のスイッチ（インピーダンス）を制御するＥＮと呼ばれる制御端子13とを備え、この制御端子13にはインバータ14の出力端子が接続され、インバータの入力端子にはハードディスクユニット8からプルアップ抵抗17によってプルアップされたＣＳＥＬ信号が接続されかつプルダウン抵抗15が接続されている。また、インバータ14の出力端子からの信号は図示しない記録機器本体のサブマイコンに接続されている。なお、図示していないが双方向性バッファー本体部分12にＴＲ端子があり、そのＴＲ端子によってスイッチング方向（本件では端子１０から端子１１へ信号が流れる）を決定する。本実施例ではこの双方向性バッファーのＩＣとして、７４ＬＣＸ２４５を使用している。
【００１３】
図２以外にもハードディスクユニットからホスト側への応答信号及びＩ／Ｏとなるデータラインに、各々ＯＮ／ＯＦＦ可能な双方向バッファーＩＣを使用してつながれている。また、ハードディスクの電源ＯＮ状態ではハードディスクユニット8のＣＳＥＬ信号はプルアップ抵抗17によってＶｃｃにプルアップされ、端子16によって双方向性バッファーのインバータ14に接続される。
【００１４】
上記したＣＳＥＬ信号は、１００ＫΩ程度のインピーダンスにて反転ＩＣを通じて双方向バッファーＩＣ及びサブマイコンに送られる。双方向バッファーＩＣは、ＥＮポートをＨＩとすることにより出力ポートをＨＩ−Ｚ（ＨＩインピーダンス）にすることが可能である。ＣＳＥＬ信号は、ハードディスクユニット側が接続されてかつ電源がＯＮされた場合には、ハードディスクユニット側の内部プルアップによりＨＩとなる。本信号は上記反転信号にてＬＯとなり、双方向バッファーＩＣはＥＮポートもＬＯとあるため、ホスト側とハードディスクユニット間は通信可能となり通常の記録再生が可能となる。
【００１５】
次にハードディスクユニット側が、ハードディスクユニットなどのＳＷにより、ホスト側（記録機器本体）が電源ＯＮ状態にてハードディスクユニットの電源がＯＦＦされた場合には、ＣＳＥＬ信号がＬＯとなり、インバータ14によってＥＮ13に入力される信号がＨＩとなって一瞬にて双方向バッファーＩＣはＨＩ−Ｚ（ＨＩインピーダンス）となり通信は断ち切られる。これにより、ハードディスクユニット側の回路に対する逆耐圧をかかる時間を最小とすることが可能となる。なおサブマイコンに送られるＣＳＥＬの反転信号は、ハードディスクユニット側の電源のＯＮ／ＯＦＦ及びハードディスクユニットシステムの有無を知るために、利用されることは言うまでもない。
【図面の簡単な説明】
【００１６】
【図１】本発明の一実施例である記録機器全体の概略を示したブロック図である。
【図２】本発明の一実施例である双方向性バッファーの回路構成図である。
【符号の説明】
【００１７】
１：記録機器，２：記録機器本体部，４：ＡＳＩＣ，７：双方向性バッファー，８：ハードディスクユニット，１０：双方向性バッファー入力端子，１１：双方向性バッファー出力端子，１２：双方向性バッファー本体部分，１３：ＥＮ（制御）端子，１６：ＣＳＥＬ端子
【図１】
2005203047.tif 000003
【図２】
2005203047.tif 000004